(57)【要約】【課題】車輪が段差に乗り上げた際に車両の安全性が低下することを抑制する。【解決手段】駐車支援部６０は、前輪及び後輪の何れか一方の車輪が段差に接触したことを条件に、車両の制動力が大きくなるように制動装置１０を作動させることを制動制御部５２に要求する段差補助制御を実施する制御要求部６４を備える。制御要求部６４は、段差補助制御では、制動力配分比を、段差補助制御が実施されていない状態で制動操作が行われた場合における制動力配分比よりも高くすることを制動制御部５２に要求する。【選択図】図２
2019093762.tif 000002
【特許請求の範囲】
【請求項１】
車両の走行を支援する車両の走行支援装置であって、
車両の前輪及び後輪の何れか一方の車輪が段差に接触したことを条件に、車両の制動力が大きくなるように制動装置を作動させることを要求する段差補助制御を実施する制御要求部を備え、
前輪及び後輪のうち、前記段差に接触した車輪に付与する制動力に対する前記段差に接触していない車輪に付与する制動力の比を制動力配分比とした場合、
前記制御要求部は、前記段差補助制御を実施している場合、前記制動力配分比を、前記段差補助制御が実施されていない状態で制動操作が行われた場合における前記制動力配分比よりも高くすることを要求する
車両の走行支援装置。
【請求項２】
車両の走行を支援する車両の走行支援装置であって、
車両の前輪及び後輪の何れか一方の車輪が段差に接触したことを条件に、前記一方の車輪の接地荷重を推定する接地荷重推定部と、
前輪及び後輪の何れか一方の車輪が前記段差に接触したことを条件に、車両の制動力が大きくなるように制動装置を作動させることを要求する段差補助制御を実施する制御要求部を備え、
前記制御要求部は、前記段差補助制御を実施している場合、前記接地荷重推定部によって推定された前記一方の車輪の接地荷重が大きいときには同接地荷重が小さいときよりも前記一方の車輪に付与する制動力を大きくすることを要求する
車両の走行支援装置。
【発明の詳細な説明】
【技術分野】
【０００１】
本発明は、車輪が段差に接触した際における車両の走行を支援する車両の走行支援装置に関する。
【背景技術】
【０００２】
特許文献１には、車両の車輪が段差に乗り上げていると判定したときに、車輪と一体回転するディスクにパッドが接触しない程度にディスクとパッドとの隙間を狭くすべく車両の制動装置を作動させる駐車支援装置の一例が記載されている。このように制動装置を作動させることにより、車輪が段差を乗り上げた場合に運転者が制動操作を行うと、車両に制動力を速やかに付与することができる。
【先行技術文献】
【特許文献】
【０００３】
【特許文献１】特開２００７−３０５８１号公報
【発明の概要】
【発明が解決しようとする課題】
【０００４】
車輪が段差に乗り上げた際に、運転者が慌ててしまうことがある。このように運転者が慌ててしまった場合、同運転者が適切な車両操作を行うことができないおそれがある。例えば、本来は制動操作を行う必要があるときに、誤ってアクセル操作を行ってしまったり、硬直してしまって制動操作の開始が遅れてしまったりすることがある。すなわち、車輪が段差に乗り上げた際に、運転者による不適切な操作が行われたり、自動走行中における不適切な指示が走行支援装置に入力されたりした場合における車両の安全性を高めるという点で改善の余地がある。
【課題を解決するための手段】
【０００５】
上記課題を解決するための車両の走行支援装置は、車両の走行を支援する装置である。
車両の走行支援装置の一態様は、車両の前輪及び後輪の何れか一方の車輪が段差に接触したことを条件に、車両の制動力が大きくなるように制動装置を作動させることを要求する段差補助制御を実施する制御要求部を備えている。前輪及び後輪のうち、段差に接触した車輪に付与する制動力に対する段差に接触していない車輪に付与する制動力の比を制動力配分比とした場合、制御要求部は、段差補助制御を実施している場合、制動力配分比を、段差補助制御を実施していない状態で制動操作が行われた場合における制動力配分比よりも高くすることを要求する。
【０００６】
上記構成によれば、車両の前輪及び後輪の何れか一方の車輪が段差に接触した場合、段差補助制御が実施される。すると、制動装置の作動によって、車両の制動力が増大される。そのため、車輪が段差に乗り上げた際における車両の安全性を高めることが可能となる。
【０００７】
なお、車両の前輪及び後輪の何れか一方の車輪が段差に乗り上げていると、前輪及び後輪のうちの段差に接触していない車輪の接地荷重が大きくなる。そして、制動力を付与する車輪の接地荷重が大きいほど、車両の減速度、すなわち車両の制動力を効率よく大きくすることができる。さらに、運転者が制動操作を行った場合における、前輪に対する制動力と後輪に対する制動力との配分は、水平路面で車両が減速状態にあるときにおける前輪の接地荷重と後輪の接地荷重との関係に基づいて定められている。そのため、水平路面での前輪の接地荷重と後輪の接地荷重との関係と、一方の車輪が段差に乗り上げた状態での前輪の接地荷重と後輪の接地荷重との関係とは、上記のように異なっている。この点、上記構成では、段差補助制御が実施されている場合、上記制動力配分比が運転者の制動操作時における上記制動力配分比よりも大きくなる。そのため、前輪及び後輪のうちの段差に接触していない方の車輪、すなわち接地荷重が大きくなっている可能性のある車輪に付与する制動力をより大きくすることができる。そのため、車輪が段差を乗り越えた際における車両の加速の抑制効果を高めたり、車両が段差に接触した際に車両を速やかに停止させたりすることができる。
【０００８】
車両の走行支援装置の一態様は、前輪及び後輪の何れか一方の車輪が段差に接触したことを条件に、上記一方の車輪の接地荷重を推定する接地荷重推定部と、前輪及び後輪の何れか一方の車輪が段差に接触したことを条件に、車両の制動力が大きくなるように制動装置を作動させることを要求する段差補助制御を実施する制御要求部を備えている。制御要求部は、段差補助制御を実施している場合、接地荷重推定部によって推定された上記一方の車輪の接地荷重が大きいときには同接地荷重が小さいときよりも上記一方の車輪に付与する制動力を大きくすることを要求する。
【０００９】
上記構成によれば、車両の前輪及び後輪の何れか一方の車輪が段差に接触した場合、段差補助制御が実施される。すると、制動装置の作動によって、車両の制動力が増大される。そのため、車輪が段差に乗り上げた際における車両の安全性を高めることが可能となる。
【００１０】
なお、段差を車輪が乗り越えた直後では、当該車輪が上下動するため、当該車輪の接地荷重が振動することとなる。そして、当該車輪に対して接地荷重が大きいときにより大きな制動力を付与することにより、車両の減速度、すなわち車両の制動力を効率よく大きくすることができる。この点、上記構成では、段差補助制御が実施されている場合、前輪及び後輪のうち、段差に接触した方の車輪の接地荷重の振動に応じ、当該車輪に付与する制動力を振動させるようにしている。そのため、接地荷重の振動に拘わらず、一定の制動力を当該車輪に付与する場合と比較し、車輪が段差を乗り越えた際における車両の加速の抑制効果を高めたり、車両が段差を乗り越えた際に車両を速やかに停止させたりすることができる。
【図面の簡単な説明】
【００１１】
【図１】第１の実施形態における車両の走行支援装置としての機能を有する制御装置を備える車両の概略を示す構成図。
【図２】同制御装置の機能構成を示すブロック図。
【図３】（ａ）及び（ｂ）は車輪が段差に接触した場合のタイミングチャート。
【図４】前輪に付与する制動力と後輪に付与する制動力との配分比を決めるべく実行される処理ルーチンを説明するフローチャート。
【図５】第２の実施形態において、制御装置の機能構成を示すブロック図。
【図６】前輪に付与する制動力と後輪に付与する制動力との配分比を決めるべく実行される処理ルーチンを説明するフローチャート。
【発明を実施するための形態】
【００１２】
（第１の実施形態）
以下、車両の走行支援装置の第１の実施形態を図１〜図４に従って説明する。
図１には、本実施形態の走行支援装置としての機能を有する制御装置５０を備える車両の一例が図示されている。図１に示すように、車両の駆動装置１０は、エンジンや電動モータなどの車両の動力源を備えている。駆動装置１０から出力された駆動力は、ディファレンシャル１１を介して後輪ＲＬ，ＲＲに伝達される。すなわち、当該車両では、後輪ＲＬ，ＲＲが駆動輪として機能し、前輪ＦＬ，ＦＲが従動輪として機能する。
【００１３】
車両の制動装置２０は、各車輪ＦＬ，ＦＲ，ＲＬ，ＲＲに付与する制動力を個別に調整できるように作動する。また、制動装置２０は、車両の運転者が制動操作を行った場合、その制動操作量に応じた制動力が各車輪ＦＬ，ＦＲ，ＲＬ，ＲＲに付与されるように作動する。
【００１４】
図１に示すように、車両には、監視装置３１、ナビゲーション装置３２、車速検出系３３、加速度検出系３４、ピッチ角検出系３５、車両重量検出系３６及び路面勾配検出系３７が設けられている。監視装置３１は、カメラなどの撮像手段やレーダを有しており、これらを用いて自車両の周辺を監視する。また、監視装置３１は、撮像手段やレーダなどを用いた監視から得た情報を解析し、自車両の進行方向に障害物が存在するか否かの判定、及び、自車両から障害物までの相対距離の演算などを行う。そして、監視装置３１は、各種の解析処理によって得た情報を制御装置５０に出力する。ナビゲーション装置３２は、全地球測位システムなどから得た自車両の位置情報を基に、自車両がどのエリアに位置しているのかを判断し、地図上での自車両の位置を運転者に報知する。また、ナビゲーション装置３２は、取得した自車両の位置情報、及び、自車両が位置するエリアを特定する情報などを制御装置５０に出力する。
【００１５】
車速検出系３３は、各車輪ＦＬ，ＦＲ，ＲＬ，ＲＲの車輪速度などを基に、車両の移動速度である車体速度ＶＳを演算する。加速度検出系３４は、加速度センサの検出信号などを基に、車両の前後方向加速度である車体加速度ＧＳを演算する。ピッチ角検出系３５は、車両幅方向に延びる軸線回り方向における車両の回転量を検出するセンサの検出信号などを基に、車両のピッチ角ＰＲを演算する。車両重量検出系３６は、車両の重量Ｗｅを演算する。路面勾配検出系３７は、車両の走行する路面の勾配ＳＲを演算する。そして、これら各検出系３３〜３７によって得られた情報は、制御装置５０に出力される。
【００１６】
図２に示すように、制御装置５０は、機能部として、駐車支援部６０、駆動装置１０を制御する駆動制御部５１、及び制動装置２０を制御する制動制御部５２を備えている。駐車支援部６０は、車輪ＦＬ，ＦＲ，ＲＬ，ＲＲが乗り上げることが可能な段差が存在するエリア（駐車場など）での車両の走行を支援する「走行支援装置」の一例である。このような段差としては、例えば、車両を停止させるための段差である車止め用の段差、コインパーキングなどに設置されるロック板を挙げることができる。なお、本実施形態では、コインパーキングにおけるロック板などのように、駐車位置に向けて車両が走行しているときには車輪ＦＬ，ＦＲ，ＲＬ，ＲＲが乗り越えてもよい段差のことを、「乗り越え許可段差」ともいう。また、車止め用の段差とは、駐車位置を規定するための段差であり、車両を駐車させる際には車輪ＦＬ，ＦＲ，ＲＬ，ＲＲが乗り越えるのは好ましくない段差のことである。
【００１７】
駆動制御部５１は、車両の運転者によるアクセルペダルの操作量であるアクセル操作量ＡＣＲを基に駆動装置１０を制御する。また、駐車支援部６０から駆動力要求値ＦＸｄＲを受信している場合、駆動制御部５１は、受信した駆動力要求値ＦＸｄＲを基に駆動装置１０を制御する。すなわち、駆動制御部５１は、駆動力要求値ＦＸｄＲが大きいほど、車両の駆動力ＦＸｄが大きくなるように駆動装置１０を制御する。
【００１８】
制動制御部５２は、車両の運転者によるブレーキペダルの操作量である制動操作量ＢＰＲを基に制動装置２０を制御する。また、駐車支援部６０から制動力要求値ＦＸｂＲを受信している場合、制動制御部５２は、受信した制動力要求値ＦＸｂＲを基に制動装置２０を制御する。すなわち、制動制御部５２は、制動力要求値ＦＸｂＲが大きいほど、車両の制動力ＦＸｂが大きくなるように制動装置２０を制御する。
【００１９】
駐車支援部６０は、段差接触判定部６１、高さ推定部６２、段差判定部６３、及び制御要求部６４を有している。
段差接触判定部６１は、各車輪ＦＬ，ＦＲ，ＲＬ，ＲＲのうちの少なくとも１つの車輪が段差に接触したか否かを判定する。例えば、段差接触判定部６１は、車両の駆動力ＦＸｄ及び車両の車体速度ＶＳを基に、当該判定を行う。当該判定の具体的な方法については、図３を用いて後述する。
【００２０】
高さ推定部６２は、各車輪ＦＬ，ＦＲ，ＲＬ，ＲＲのうちの少なくとも１つの車輪が段差に接触したと段差接触判定部６１によって判定されたことを条件に、車輪が接触した段差の高さの推定値である高さ推定値Ｈｅを演算する。例えば、高さ推定部６２は、車両の駆動力ＦＸｄを基に、高さ推定値Ｈｅを演算する。車輪が段差に乗り上げる際、段差の高さが高いほど、車輪を段差に乗り上げさせる際の駆動力ＦＸｄの最小値が大きくなりやすい。そのため、高さ推定部６２は、段差接触判定部６１によって車輪が段差に乗り上げたと判定された時点の車両の駆動力ＦＸｄが大きいほど高さ推定値Ｈｅが大きくなるように、高さ推定値Ｈｅを演算する。
【００２１】
段差判定部６３は、各車輪ＦＬ，ＦＲ，ＲＬ，ＲＲのうちの少なくとも１つの車輪が段差に接触したと段差接触判定部６１によって判定されたことを条件に、高さ推定部６２によって演算された段差の高さ推定値Ｈｅを基に段差が車止め用の段差であるのか乗り越え許可段差であるのかを判定する。例えば、段差判定部６３は、高さ推定値Ｈｅが高さ判定値ＨｅＴｈ以上であるときには段差が車止め用の段差であると判定する。一方、段差判定部６３は、高さ推定値Ｈｅが高さ判定値ＨｅＴｈ未満であるときには段差が乗り越え許可段差であると判定する。
【００２２】
制御要求部６４は、各車輪ＦＬ，ＦＲ，ＲＬ，ＲＲのうちの少なくとも１つの車輪が段差に接触したと段差接触判定部６１によって判定されたことを条件に、車両の制動力の増大によって車両を停止させることを要求する停止要求制御、又は、車両の加速を抑制するために、車両の制動力を増大させること、及び、車両の駆動力を減少させることの双方を要求する加速抑制要求制御を実施する。すなわち、本実施形態では、停止要求制御及び加速抑制要求制御が、車両の制動力ＦＸｂが大きくなるように制動装置２０を作動させることを制動制御部５２に要求する「段差補助制御」の一例に相当する。制御要求部６４は、段差判定部６３によって、車輪の接触した段差が車止め用の段差であると判定されているときには停止要求制御を実施する。一方、制御要求部６４は、段差判定部６３によって、車輪の接触した段差が乗り越え許可段差であると判定されているときには加速抑制要求制御を実施する。
【００２３】
なお、停止要求制御や加速抑制要求制御の実施時によって制動装置２０を作動させる場合、制御要求部６４は、前輪ＦＬ，ＦＲに付与する制動力に対する後輪ＲＬ，ＲＲに付与する制動力の比を変更する。当該比の設定方法については、図４を用いて後述する。
【００２４】
次に、図３を参照し、車輪が段差に接触したか否か、具体的には車輪が段差に乗り上げたか否かを判定する際に段差接触判定部６１が実行する処理について説明する。図３（ａ），（ｂ）には、車両が一定速度で走行しているときに車輪が段差に接触した場合の駆動力ＦＸｄ及び車体速度ＶＳの推移が図示されている。
【００２５】
図３（ａ），（ｂ）に示すように、一定速度で走行している車両の車輪がタイミングｔ１１で段差に接触すると、車体速度ＶＳが「０」又は「０」付近まで減少する。そして、アクセル操作量ＡＣＲが増大され、車両の駆動力ＦＸｄが増大されると、タイミングｔ１２で車輪が段差に乗り上げる。すると、車体速度ＶＳが大きくなる。
【００２６】
そこで、段差接触判定部６１は、車体速度ＶＳが減少しているにも拘わらず駆動力ＦＸｄが増大していることを検出すること、及び、その直後において車体速度ＶＳの増大開始時点における駆動力ＦＸｄが判定駆動力ＦＸｄＴｈ以上であることの何れもが成立したときに、車輪が段差に接触した、すなわち車輪が段差に乗り上げたと判定する。なお、判定駆動力ＦＸｄＴｈは、駆動力ＦＸｄを用い、車輪が段差に乗り上げたか否かを判定するための基準値である。
【００２７】
次に、図４を参照し、前輪ＦＬ，ＦＲに付与する制動力に対する後輪ＲＬ，ＲＲに付与する制動力の比を変更するために制御要求部６４が実行する処理ルーチンについて説明する。本処理ルーチンは、停止要求制御又は加速抑制要求制御の実施を開始したことを契機に実行される。
【００２８】
図４に示すように、本処理ルーチンにおいて、制御要求部６４は、前輪ＦＬ，ＦＲ及び後輪ＲＬ，ＲＲのうち、段差に接触した車輪に付与する制動力に対する段差に接触していない車輪に付与する制動力の比である制動力配分比Ｘを、接触時用比Ｘ２と等しくする（Ｓ１１）。すなわち、前輪ＦＬ，ＦＲが段差に接触した場合、制動力配分比Ｘとは、前輪ＦＬ，ＦＲに付与する制動力に対する後輪ＲＬ，ＲＲに付与する制動力の比のこととなる。反対に、後輪ＲＬ，ＲＲが段差に接触した場合、制動力配分比Ｘとは、後輪ＲＬ，ＲＲに付与する制動力に対する前輪ＦＬ，ＦＲに付与する制動力の比のこととなる。
【００２９】
運転者の制動操作時における制動力配分比Ｘを通常時用比Ｘ１とする。前輪ＦＬ，ＦＲが段差に接触した場合、通常時用比Ｘ１は、前輪ＦＬ，ＦＲに付与する制動力に対する後輪ＲＬ，ＲＲに付与する制動力の比のこととである。一方、後輪ＲＬ，ＲＲが段差に接触した場合、通常時用比Ｘ１は、後輪ＲＬ，ＲＲに付与する制動力に対する前輪ＦＬ，ＦＲに付与する制動力の比のこととなる。接触時用比Ｘ２は、通常時用比Ｘ１よりも大きい。すなわち、接触時用比Ｘ２は、通常時用比Ｘ１に基づいて各車輪ＦＬ，ＦＲ，ＲＬ，ＲＲに制動力を付与する場合と比較し、段差に接触していない車輪に対する制動力が大きくなるように設定されている。
【００３０】
そして、制御要求部６４は、設定した制動力配分比Ｘを制動制御部５２に送信する（Ｓ１２）。すなわち、制御要求部６４は、前輪ＦＬ，ＦＲ及び後輪ＲＬ，ＲＲの何れか一方の車輪の段差への接触時に制動操作が行われた場合における制動力配分比、すなわち通常時用比Ｘ１よりも制動力配分比Ｘを高くすることを制動制御部５２に要求する。続いて、制御要求部６４は、実施している段差補助制御（停止要求制御又は加速抑制要求制御）の終了条件が成立しているか否かを判定する（Ｓ１３）。例えば、停止要求制御の終了条件は、車両が停止したことを挙げることができる。また例えば、加速抑制要求制御の終了条件は、車両の車体振動が収束したことを挙げることができる。
【００３１】
そして、終了条件が成立していない場合（Ｓ１３：ＮＯ）、制御要求部６４は、ステップＳ１３の判定を繰り返し実行する。一方、終了条件が成立している場合（Ｓ１３：ＹＥＳ）、制御要求部６４は、制動力配分比Ｘを通常時用比Ｘ１に戻し、変更後の制動力配分比Ｘを制動制御部５２に送信する（Ｓ１４）。その後、制御要求部６４は、本処理ルーチンを終了する。
【００３２】
次に、本実施形態の作用及び効果について説明する。ここでは、駐車場の駐車位置に車両を駐車させる場合について説明する。
例えば車両を後退させて駐車位置に駐車させる場合、車両の後輪ＲＬ，ＲＲの少なくとも一方の後輪が段差に乗り上げる。この場合、図３に示すように、車両の車体速度ＶＳは減少するにも拘わらず、車両の駆動力ＦＸｄが大きくなる。そして、後輪ＲＬ，ＲＲが段差に乗り上げると、車体速度ＶＳが増大し始める。こうした駆動力ＦＸｄの変化と車体速度ＶＳの変化とを監視することにより、後輪ＲＬ，ＲＲが段差に接触したと判定することができる。
【００３３】
そして、後輪ＲＬ，ＲＲが段差に接触したと判定されると、当該段差の高さ推定値Ｈｅが演算される。すなわち、高さ推定値Ｈｅは、後輪ＲＬ，ＲＲが段差に乗り上げた時点の駆動力ＦＸｄを基に演算される。この高さ推定値Ｈｅが高さ判定値ＨｅＴｈ未満である場合、後輪ＲＬ，ＲＲの接触した段差が乗り越え許可段差であると判定されるため、加速抑制要求制御が実施される。
【００３４】
加速抑制要求制御が実施されると、車両の駆動力ＦＸｄが小さくされる。また、車両に制動力ＦＸｂが付与されるようになる。その結果、加速抑制要求制御が実施されない場合と比較し、車両が加速しにくくなる。これにより、後輪ＲＬ，ＲＲが段差を乗り越えるに際し、アクセル操作量ＡＣＲが過大となるようにアクセルペダルが操作されたり、ブレーキペダルの操作開始が遅れたりした場合であっても、車両の加速を抑えることができる。すなわち、後輪ＲＬ，ＲＲが段差を乗り越えた際における車両の飛び出し感を弱くすることができる。
【００３５】
なお、後輪ＲＬ，ＲＲが段差に乗り上げている場合、後輪ＲＬ，ＲＲの接地荷重は、後輪ＲＬ，ＲＲが段差に乗り上げていない場合よりも小さくなる。また、後輪ＲＬ，ＲＲが段差に乗り上げている場合、前輪ＦＬ，ＦＲの接地荷重は、後輪ＲＬ，ＲＲが段差に乗り上げていない場合よりも大きくなる。そして、接地荷重の大きい車輪に付与する制動力を大きくすることにより、接地荷重の小さい車輪に付与する制動力を大きくする場合と比較し、車両の減速度を大きくしやすい。
【００３６】
この点、本実施形態では、加速抑制要求制御の実施によって車両の制動力ＦＸｂを増大させる場合、制動力配分比Ｘが、通常時用比Ｘ１よりも大きい接触時用比Ｘ２と等しくされる。これにより、制動力配分比Ｘが通常時用比Ｘ１と等しい場合と比較し、段差に接触していない前輪ＦＬ，ＦＲ、すなわち接地荷重が大きくなった車輪に付与する制動力を大きくすることができる。そのため、後輪ＲＬ，ＲＲが段差を乗り越えた際における車両の加速の抑制効果を高めることができる。
【００３７】
後輪ＲＬ，ＲＲが乗り越え許可段差を乗り越えた後、車体振動が収まると、加速抑制要求制御の実施が終了される。その後の車両の後退によって、後輪ＲＬ，ＲＲが別の段差（今度は、車止め用の段差）に接触する。この場合であっても、後輪ＲＬ，ＲＲが乗り越え許可段差に接触した場合と同様に、駆動力ＦＸｄや車体速度ＶＳが変化するため（図３参照）、後輪ＲＬ，ＲＲが段差に接触したと判定することができる。
【００３８】
そして、後輪ＲＬ，ＲＲが段差に乗り上げた時点の駆動力ＦＸｄに基づいて演算された高さ推定値Ｈｅが高さ判定値ＨｅＴｈ以上であると、段差が車止め用の段差であると判定されるため、停止要求制御が実施される。すると、車両の駆動力ＦＸｄが「０」と等しくされ、又は、駆動力ＦＸｄが、段差に接触した後輪ＲＬ，ＲＲと路面との接地が維持されるような所定の駆動力（例えば、アクセルオフの状態で発生する駆動力であるクリープトルクなど）に設定され、且つ、車両の制動力ＦＸｂが増大されるため、車両が自動的に停止される。そのため、後輪ＲＬ，ＲＲが車止め用の段差に乗り上げた際に運転者が適切な車両操作を行うことができない場合であっても、車両を停止させることができるため、車両の安全性の低下を抑制することができる。
【００３９】
本実施形態では、停止要求制御が実施される場合でも、制動力配分比Ｘが接触時用比Ｘ２と等しくされる。これにより、制動力配分比Ｘが通常時用比Ｘ１と等しい場合と比較し、段差に接触していない前輪ＦＬ，ＦＲ、すなわち接地荷重が大きくなった車輪に付与する制動力を大きくすることができる。そのため、後輪ＲＬ，ＲＲが車止め用の段差に接触したと判定されたときには、車両を速やかに停止させることができる。
【００４０】
なお、車両を前進させて駐車位置に車両を駐車させることもある。この場合の作用は、車両を後退させて駐車位置に駐車させる場合と略同等であるため、説明を省略するものとする。
【００４１】
（第２の実施形態）
次に、走行支援装置の第２の実施形態を図５及び図６に従って説明する。第２の実施形態では、駐車支援部６０の制御構成が第１の実施形態と相違している。そこで、以下の説明においては、第１の実施形態と相違している部分について主に説明するものとし、第１の実施形態と同一又は相当する部材構成には同一符号を付して重複説明を省略するものとする。
【００４２】
図５を参照し、駐車支援部６０について説明する。
図５に示すように、駐車支援部６０は、段差接触判定部６１、高さ推定部６２、段差判定部６３及び制御要求部６４に加え、接地荷重推定部６５を有している。
【００４３】
接地荷重推定部６５は、段差補助制御（加速抑制要求制御又は停止要求制御）が制御要求部６４によって実施されている場合、段差に接触した車輪の接地荷重の推定値である接地荷重推定値ＧＬＥを演算する。車輪が段差を乗り越えた直後では、車体が振動するため、段差に接触した車輪の接地荷重が振動する。そこで、接地荷重推定部６５は、車体振動に連動して変化するパラメータを用い、車体が下方に変位しているときには接地荷重推定値ＧＬＥが大きくなる一方、車体が上方に変位しているときには接地荷重推定値ＧＬＥが小さくなるように、接地荷重推定値ＧＬＥを演算する。
【００４４】
なお、車体振動に連動して変化するパラメータとしては、例えば、車体加速度ＧＳを挙げることができる。当該パラメータとして車体加速度ＧＳを用いる場合、接地荷重推定部６５は、車体加速度ＧＳの変化に応じて接地荷重推定値ＧＬＥを演算する。
【００４５】
制御要求部６４は、段差判定部６３によって、車輪の接触した段差が車止め用の段差であると判定されているときには停止要求制御を実施する。一方、制御要求部６４は、段差判定部６３によって、車輪の接触した段差が乗り越え許可段差であると判定されているときには加速抑制要求制御を実施する。なお、停止要求制御や加速抑制要求制御の実施時によって制動装置２０を作動させる場合、制御要求部６４は、接地荷重推定部６５によって演算された接地荷重推定値ＧＬＥを基に、制動力配分比Ｘを演算する。
【００４６】
次に、図６を参照し、制動力配分比Ｘを変更するために制御要求部６４が実行する処理ルーチンについて説明する。本処理ルーチンは、停止要求制御又は加速抑制要求制御の実施を開始したことを契機に実行される。
【００４７】
図６に示すように、本処理ルーチンにおいて、制御要求部６４は、接地荷重推定部６５によって演算された、段差に接触した車輪の接地荷重推定値ＧＬＥを取得する（Ｓ２１）。続いて、制御要求部６４は、接地荷重推定値ＧＬＥを基に、制動力配分比Ｘを設定する（Ｓ２２）。すなわち、制御要求部６４は、接地荷重推定値ＧＬＥが大きくなるにつれ、段差に接触した車輪に付与する制動力が大きくなるように、制動力配分比Ｘを演算する。
【００４８】
そして、制御要求部６４は、設定した制動力配分比Ｘを制動制御部５２に送信する（Ｓ２３）。すなわち、制御要求部６４は、段差に接触した車輪の接地荷重が大きいときには接地荷重が小さいときよりも当該車輪に付与する制動力を大きくすることを制動制御部５２に要求する。続いて、制御要求部６４は、実施している段差補助制御（停止要求制御又は加速抑制要求制御）の終了条件が成立しているか否かを判定する（Ｓ２４）。終了条件が成立していない場合（Ｓ２４：ＮＯ）、制御要求部６４は、その処理を前述したステップＳ２１に移行する。一方、終了条件が成立している場合（Ｓ２４：ＹＥＳ）、制御要求部６４は、本処理ルーチンを終了する。
【００４９】
次に、本実施形態の作用及び効果について説明する。ここでは、駐車場の駐車位置に車両を駐車させる場合について説明する。
例えば車両を後退させて駐車位置に駐車させる場合、車両の後輪ＲＬ，ＲＲの少なくとも一方の後輪が段差に乗り上げる。この場合、車両の車体速度ＶＳは「０」又は「０」付近まで減少するにも拘わらず、車両の駆動力ＦＸｄが大きくなる（図３参照）。そして、後輪ＲＬ，ＲＲが段差に乗り上げると、車体速度ＶＳが増大し始める。こうした駆動力ＦＸｄの変化と車体速度ＶＳの変化とを監視することにより、後輪ＲＬ，ＲＲが段差に接触したと判定することができる。
【００５０】
そして、後輪ＲＬ，ＲＲが段差に接触したと判定され、演算された段差の高さ推定値Ｈｅが高さ判定値ＨｅＴｈ未満であると、後輪ＲＬ，ＲＲの接触した段差が乗り越え許可段差であると判定されるため、加速抑制要求制御が実施される。加速抑制要求制御が実施されると、車両の駆動力ＦＸｄが小さくされる。また、車両に制動力ＦＸｂが付与されるようになる。その結果、加速抑制要求制御が実施されない場合と比較し、車両が加速しにくくなる。これにより、後輪ＲＬ，ＲＲが段差を乗り越えるに際し、アクセル操作量ＡＣＲが過大となるようにアクセルペダルが操作されたり、ブレーキペダルの操作開始が遅れたりした場合であっても、車両の加速を抑えることができる。すなわち、後輪ＲＬ，ＲＲが段差を乗り越えた際における車両の飛び出し感を弱くすることができる。
【００５１】
なお、後輪ＲＬ，ＲＲが段差を乗り越えると、車体が上下方向に振動するため、段差に接触した後輪ＲＬ，ＲＲの接地荷重が変動する。そこで、本実施形態では、後輪ＲＬ，ＲＲの接地荷重の変動に合わせ、後輪ＲＬ，ＲＲに付与する制動力を変動させている。つまり、後輪ＲＬ，ＲＲの接地荷重、すなわち接地荷重推定値ＧＬＥが大きくなると、後輪ＲＬ，ＲＲに付与する制動力が増大される。また、後輪ＲＬ，ＲＲの接地荷重、すなわち接地荷重推定値ＧＬＥが小さくなると、後輪ＲＬ，ＲＲに付与する制動力が減少される。
【００５２】
本実施形態では、段差に接触した後輪ＲＬ，ＲＲ（車輪）の接地荷重が大きくなったときに後輪ＲＬ，ＲＲに付与する制動力を大きくすることにより、接地荷重が変化しても後輪ＲＬ，ＲＲに付与する制動力が一定値で保持される場合と比較し、車両の減速度を大きくすることができる。そのため、後輪ＲＬ，ＲＲが段差を乗り越えた際における車両の加速の抑制効果を高めることができる。
【００５３】
後輪ＲＬ，ＲＲが乗り越え許可段差を乗り越えた後、車体振動が収まると、加速抑制要求制御の実施が終了される。その後の車両の後退によって、後輪ＲＬ，ＲＲが別の段差（今度は、車止め用の段差）に接触する。この場合であっても、後輪ＲＬ，ＲＲが乗り越え許可段差に接触した場合と同様に、駆動力ＦＸｄや車体速度ＶＳが変化するため（図３参照）、後輪ＲＬ，ＲＲが段差に接触したと判定することができる。
【００５４】
そして、後輪ＲＬ，ＲＲが段差に乗り上げた時点の駆動力ＦＸｄに基づいて演算された高さ推定値Ｈｅが高さ判定値ＨｅＴｈ以上であると、段差が車止め用の段差であると判定されるため、停止要求制御が実施される。すると、車両の駆動力ＦＸｄが「０」と等しくされ、又は、駆動力ＦＸｄが、段差に接触した後輪ＲＬ，ＲＲと路面との接地が維持されるような所定の駆動力（例えば、アクセルオフの状態で発生する駆動力であるクリープトルクなど）に設定され、且つ、車両の制動力ＦＸｂが増大されるため、車両が自動的に停止される。そのため、後輪ＲＬ，ＲＲが車止め用の段差に乗り上げた際に運転者が適切な車両操作を行うことができない場合であっても、車両を停止させることができるため、車両の安全性の低下を抑制することができる。
【００５５】
本実施形態では、停止要求制御が実施される場合でも、後輪ＲＬ，ＲＲの接地荷重の変動に合わせ、後輪ＲＬ，ＲＲに付与する制動力を変動させている。つまり、後輪ＲＬ，ＲＲの接地荷重、すなわち接地荷重推定値ＧＬＥが大きくなると、後輪ＲＬ，ＲＲに付与する制動力が増大される。また、接地荷重推定値ＧＬＥが小さくなると、後輪ＲＬ，ＲＲに付与する制動力が減少される。そのため、接地荷重が変化しても後輪ＲＬ，ＲＲに付与する制動力が一定値で保持される場合と比較し、後輪ＲＬ，ＲＲが車止め用の段差に接触したと判定されたときには、車両を速やかに停止させることができる。
【００５６】
なお、車両を前進させて駐車位置に車両を駐車させることもある。この場合の作用は、車両を後退させて駐車位置に駐車させる場合と略同等であるため、説明を省略するものとする。
【００５７】
上記各実施形態は、以下のように変更して実施することができる。上記各実施形態及び以下の変更例は、技術的に矛盾しない範囲で互いに組み合わせて実施することができる。
・第１の実施形態において、車輪が乗り上げている段差が高いほど、前輪ＦＬ，ＦＲ及び後輪ＲＬ，ＲＲのうちの段差に乗り上げていない方の車輪の接地荷重が大きくなる。そのため、車輪が乗り上げている段差の高さ、すなわち段差の高さ推定値Ｈｅが大きいほど、接触時用比Ｘ２を大きくするようにしてもよい。
【００５８】
・車両が駐車位置に駐車されていた状態から運転者による車両操作によって車両を発進させることがある。この場合、例えば、本来はシフトレンジを前進レンジに設定して車両を前進させる必要があるにも拘わらず、シフトレンジを誤って後退レンジに設定してアクセル操作が行われた場合、車両が後退するため、後輪ＲＬ，ＲＲが車止め用の段差に乗り上げてしまうことがある。そこで、車両が駐車位置に駐車されていた状態から運転者による車両操作によって車両を発進させる場合、シフトレンジが駐車レンジから走行用のレンジ（前進レンジ又は後退レンジ）に変更された直後に車輪が段差に接触したと判定されたときには、当該段差が車止め用の段差であると判定し、停止要求制御を実施するようにしてもよい。また、車両が駐車位置に駐車されていた状態から運転者による車両操作によって車両を発進させる場合、シフトレンジが、前進レンジ及び後退レンジのうちの一方のレンジから他方のレンジに変更された直後に車輪が段差に接触したと判定されたときには、当該段差が車止め用の段差であると判定し、停止要求制御を実施するようにしてもよい。
【００５９】
・監視装置３１が取得した情報を基に車両の進行方向前側に存在する段差を検出できたときには、車輪が段差に接触する前に、段差に関する情報を解析し、当該段差が車止め用の段差であるか否かを判断するようにしてもよい。そして、車輪が段差に接触した場合、当該段差が車止め用の段差であると判定していたときには、停止要求制御を実施するようにしてもよい。また、車輪が段差に接触した場合、当該段差が車止め用の段差であると判定していないとき、すなわち当該段差が乗り越え許可段差であると判定されていたときには、加速抑制要求制御を実施するようにしてもよい。
【００６０】
・前輪ＦＬ，ＦＲ及び後輪ＲＬ，ＲＲの何れか一方の車輪が段差に乗り上げた場合、車両が路面に対して傾斜する。すなわち、車両のピッチ角ＰＲが変化する。具体的には、段差が高いほど、ピッチ角ＰＲの変化量が大きくなる。そこで、車輪が段差に接触したと判定された場合における車両のピッチ角ＰＲを基に、段差の高さ推定値Ｈｅを演算し、この高さ推定値Ｈｅが高さ判定値ＨｅＴｈ以上であるときには段差が車止め用の段差であると判定するようにしてもよい。一方、高さ推定値Ｈｅが高さ判定値ＨｅＴｈ以下であるときには段差が乗り越え許可段差であると判定するようにしてもよい。
【００６１】
・加速抑制要求制御では、車両の加速を抑えることができるのであれば、駆動力ＦＸｄの減少を駆動制御部５１に要求することなく、制動力ＦＸｂの増大を制動制御部５２に要求するようにしてもよい。
【００６２】
・上記第２の実施形態において、段差に接触した車輪の接地荷重の変動に相関するパラメータであれば、車体加速度ＧＳとは異なる他のパラメータを用い、接地荷重推定値ＧＬＥを演算するようにしてもよい。このようなパラメータとしては、例えば、車両の上下方向の加速度、車輪速度を時間微分した値、車輪におけるタイヤの空気圧、サスペンションの伸縮、車輪が路面上に着地した際の音の大きさを挙げることができる。
【００６３】
・加速抑制要求制御が実施される場合と、停止要求制御が実施される場合とで、制動力配分比Ｘの設定方法を変えるようにしてもよい。例えば、車輪の接触した段差が乗り換え許可段差であると判定されたために加速抑制要求制御が実施される場合では、上記第２の実施形態のように、段差に接触した車輪の接地荷重、すなわち接地荷重推定値ＧＬＥの変動に応じて制動力配分比Ｘを可変させるようにしてもよい。一方、車輪の接触した段差が車止め用の段差であると判定されたために停止要求制御が実施される場合では、上記第１の実施形態のように、制動力配分比Ｘを通常時用比Ｘ１よりも大きくするようにしてもよい。
【００６４】
・車輪が段差に接触したか否かの判定は、上記実施形態で説明した方法とは別の方法で行ってもよい。例えば、車両の車体加速度ＧＳの変動、ピッチ角ＰＲの変動などを用い、車輪が段差に接触したか否かを判定するようにしてもよい。
【００６５】
・走行支援装置としての機能も有する制御装置５０を備える車両は、駆動装置１０から出力された駆動力ＦＸｄが前輪ＦＬ，ＦＲにのみ伝達される前輪駆動車であってもよいし、当該駆動力ＦＸｄが前輪ＦＬ，ＦＲ及び後輪ＲＬ，ＲＲの双方に伝達される四輪駆動車であってもよい。
【００６６】
・停止要求制御が実施されて車両が停止した後、制動力ＦＸｂを、駆動力ＦＸｄに応じて、車両の停止を維持できる所定の制動力まで、例えば、駆動力ＦＸｄを上回る所定の値まで減少させるようにしてもよい。さらに、車輪が段差を乗り越えていない場合には、段差により進行方向への移動を防止できるため、駆動力ＦＸｄを下回る値まで制動力ＦＸｂを減少させるようにしてもよい。一方、停止要求制御を実施したが、車輪が段差を乗り越えてから車両が停止する場合も考えられる。この場合でも、車両が停止した後、制動力ＦＸｂを、駆動力ＦＸｄに応じて、車両の停止を維持できる所定の制動力まで減少させるようにしてもよい。また、車輪が段差を乗り越えていない場合と車輪が段差を乗り越えた場合とで、減少後の制動力ＦＸｂの値を異ならせるようにしてもよい。例えば、車輪が段差を乗り越えた場合における減少後の制動力ＦＸｂを、車輪が段差を乗り越えていない場合における減少後の制動力ＦＸｂよりも大きくするようにしてもよい。
【符号の説明】
【００６７】
２０…制動装置、５０…制御装置、５２…制動制御部、６０…走行支援装置の一例として機能する駐車支援部、６４…制御要求部、６５…接地荷重推定部、ＦＬ，ＦＲ，ＲＬ，ＲＲ…車輪。
【図１】
2019093762.tif 000003
【図２】
2019093762.tif 000004
【図３】
2019093762.tif 000005
【図４】
2019093762.tif 000006
【図５】
2019093762.tif 000007
【図６】
2019093762.tif 000008